(57)【特許請求の範囲】
【請求項１】
燃料と、脱硫剤と、前記脱硫剤１００重量部に対し１〜５０重量部の飛灰と、を含有する燃料混合物を作成する燃料混合物作成工程と、前記工程で作成された前記燃料混合物を流動層ボイラの流動層に供給し、前記流動層における前記脱硫剤同士の付着を防止する燃料供給工程と、を備え、前記飛灰が０．５〜１５ｗｔ％のＭｇＯを含有していることを特徴とする流動層ボイラにおける飛灰の再利用方法。
【請求項２】
燃料に混合されるＭｇ化合物中のＭｇＯと前記飛灰中のＭｇＯとの総量で、混合される前記飛灰の投入量を制御することを特徴とする請求項１に記載の流動層ボイラにおける飛灰の再利用方法。
【発明の詳細な説明】
【０００１】
【発明の属する技術分野】
本発明は、流動層ボイラにおける飛灰の再利用方法に関するものである。
【０００２】
【従来の技術】
近年、発電所やゴミ焼却炉等において、石炭やゴミ等の燃料を流動化させ効率よく燃焼させる流動層ボイラが研究開発されている。流動層ボイラを用いることにより、流動層ボイラ内に配設した伝熱管から発生する蒸気で駆動する蒸気タービン発電システムを構築できる。また、コンプレッサからの空気で加圧することによりボイラ内の酸素分圧を高めた状態の下で燃料を流動化させ燃焼させる加圧流動層ボイラを用いることにより、蒸気タービン発電に加え、ボイラの燃焼排ガスを利用するガスタービン発電とを組み合わせて熱効率を向上させた複合発電システムを構築できる。
【０００３】
流動層ボイラ内の石炭等の燃料が供給されるボイラ下部では、燃料中の揮発分が燃焼する等の要因で部分的に約１１００〜１３００℃の高温状態が出現する。このような高温状態の中では、燃料が燃焼した際に生成されＳｉやＡｌを有する燃焼灰が溶融し溶融灰を形成する。溶融灰は周囲に存在する石灰石等の脱硫剤を次々に付着し塊状物を形成する。さらに、ＳｉやＡｌを含有し脱硫剤に付着した溶融灰は、脱硫剤に含有されるＣａとの相互作用で脱硫剤の融点を下げて溶融させ、さらに塊状物の粒成長を引き起こす。燃焼装置下部では、このような溶融灰の存在により脱硫剤の流動性が低下し、特に、粒径が大きく嵩密度の大きな塊状物の滞留時間が長くなり、さらなる流動不良と塊状化を引き起こす。そのため、流動層ボイラの長期間の安定的した連続運転を行うことが困難になるとともに、著しい場合には、流動層ボイラ内に配設した伝熱管や内壁等に付着し流動層ボイラの操業に多大な悪影響を与える。
そこで、溶融灰の融液量を増加し粘性を低下させ塊状物の発生を防止するために、燃料や脱硫剤の他に、Ｍｇ（ＯＨ）２等の流動改善剤としてのＭｇ化合物が供給される。Ｍｇ化合物を添加することで、塊状物の発生が防止され流動層ボイラの長期安定運転を可能にすることができる。
【０００４】
一方、流動層ボイラ内に供給した脱硫剤，燃焼灰，未燃灰，流動改善剤等のうち微細化されたものは、燃焼排ガスに随伴されて流動層から飛び出していく。燃焼排ガス中には、流動層から飛び出した脱硫剤，燃焼灰，未燃灰，流動改善剤等からなる飛灰（フライアッシュ）が含まれているため、燃焼排ガスをガスタービン発電等に用いたり排気したりする場合には飛灰と燃焼排ガスを分離する必要があり、流動層ボイラには、このためのサイクロン等の脱塵装置が設けられている。
脱塵装置で燃焼排ガスから分離された飛灰は、粒子径が細かく飛散しやすいため水を混ぜて加湿状態にして埋め立てに用いたり、セメント原料に混ぜて用いる等の再利用方法が提案されているが、処理費用や採算性等の点で問題がある。
そこで、脱塵装置で燃焼排ガスから分離された飛灰を再利用するための方法が提案されている。
【０００５】
従来の技術としては、特開平６−３０７６２６２５号公報（以下、イ号公報という）に、「粗粒灰を７０〜８０重量％、微粉炭を１０〜２０重量％、サイクロン灰を１５〜２０重量％、それに水を添加混合して供給する加圧流動床ボイラに対する石炭の供給方法」が開示されている。
【０００６】
特開平９−４２６１４号公報（以下、ロ号公報という）に、「集塵装置により捕集された燃焼灰を水和反応させて再活性化灰とする第一の工程と、前記再活性化灰を乾燥させる第二の工程と、乾燥した再活性灰をコンバスタに再供給する第三の工程よりなる流動層ボイラの燃焼灰リサイクル法」が開示されている。
【０００７】
実開平３−１２８２０８号公報（以下、ハ号公報という）に、「サイクロンで分離された灰塵、未燃炭あるいはベッド材等の固形物を排出する固形物排出口を流動層ボイラの流動層形成部に結び、分離された灰塵、未燃炭等を再導入するための導入通路を形成した加圧流動層ボイラ」が開示されている。
【０００８】
【発明が解決しようとする課題】
しかしながら上記従来の技術においては、以下のような課題を有していた。
（１）イ号公報，ロ号公報，ハ号公報に開示の技術は、サイクロンやバグフィルタ等の脱塵装置で分離された飛灰を流動層ボイラに再供給し、飛灰に含有される炭酸カルシウム，酸化カルシウム，あるいはそれらを水和反応させた水酸化カルシウムを利用して脱硫剤の量を低減しようとするものなので、飛灰に含有される流動改善成分としてのＭｇＯの効果による流動層の流動性の改善効果が得られず、流動層ボイラの長期安定運転が困難であるという課題を有していた。
（２）イ号公報では、石炭に対するサイクロン灰の混合量は特定されているが、脱硫剤に対する混合量は特定されておらず、また、ロ号公報やハ号公報では混合量が全く特定されていないため、流動改善成分としてのＭｇＯが含有される飛灰を供給しても飛灰の供給量が少ない場合には、溶融灰の融液量を増加させ脱硫剤同士の付着を防止する効果が乏しく、飛灰の供給量が多い場合には、流動層から飛散する飛灰の量が増加し流動層高を維持できなくなるという課題を有していた。
（３）ロ号公報，ハ号公報では、飛灰は燃料とは異なる経路で流動層ボイラに供給されるので、燃焼灰が溶融して生成され塊状物の形成の原因となる溶融灰の近辺にＭｇＯ等が含まれた飛灰を供給することが困難で、溶融灰の融液量を増加させ塊状物の発生を防止することが困難であるという課題を有していた。
【０００９】
本発明は上記従来の課題を解決するもので、溶融灰が発生する確率の高い部分に流動改善成分としてのＭｇＯを含有する飛灰を供給することができ、溶融灰の融液量を増加させ塊状物の発生を防止することができるとともに流動層高を維持でき、流動層の安定性に優れ、さらに流動改善剤としてのＭｇ化合物の使用量を削減することのできる流動層ボイラにおける飛灰の再利用方法を提供することを目的とする。
【００１０】
【課題を解決するための手段】
上記従来の課題を解決するために本発明の流動層ボイラにおける飛灰の再利用方法は、以下の構成を有している。
【００１１】
本発明の請求項１に記載の流動層ボイラにおける飛灰の再利用方法は、燃料と、脱硫剤と、前記脱硫剤１００重量部に対し１〜５０重量部の飛灰と、を含有する燃料混合物を作成する燃料混合物作成工程と、前記工程で作成された前記燃料混合物を流動層ボイラの流動層に供給し、前記流動層における前記脱硫剤同士の付着を防止する燃料供給工程と、を備え、前記飛灰が０．５〜１５ｗｔ％のＭｇＯを含有している構成を有している。
この構成により、以下のような作用が得られる。
（１）飛灰は燃料と混合されて流動層ボイラに供給されるので、飛灰が含有する流動改善成分としてのＭｇＯが、生成された溶融灰の融液量を直ちに効率良く増加させて粘性を低下させ、塊状物の発生を防止することができ流動層の安定性に優れる。
（２）脱硫剤に対するＭｇＯを含有する飛灰の混合量が特定されているので、溶融灰の融液量を増加させ脱硫剤同士の付着を防止することができるとともに流動層高を維持でき、流動層の安定性に優れる。
（３）飛灰が流動改善成分としてのＭｇＯを含有しているので、飛灰を燃料等に混合して供給することで流動改善剤としてのＭｇ化合物の使用量を削減することができる。
（４）飛灰が、融液量を増加させる働きを有するＭｇＯを０．５〜１５ｗｔ％含有しているので、流動層ボイラに供給したときに、燃焼灰が溶融した溶融灰の融液量を増加させ塊状物の発生を防止することができ流動層の安定性に優れる。
【００１２】
ここで、燃料としては、石炭，亜炭，褐炭，瀝青炭，コークス，石油コークス，オイルコークス，オイルサンド，重質油，石炭液化残渣，ゴム，古タイヤ，廃油，一般ゴミ，一般廃棄物，木質物，炭化物，ＲＤＦやその他の炭化物，木屑，産業廃棄物，食品工場や農業等で排出される有機残渣物，下水汚泥，し尿処理汚泥，工業廃水処理汚泥等やこれらの混合物が用いられる。
脱硫剤としては、ＣａＣＯ３（又は石灰石），ＭｇＣＯ３（又はドロマイト）の他、ＣａＯ，Ｃａ（ＯＨ）２，Ｋ２ＣＯ３，貝殻等のカルシウムを含む水産廃棄物，セメントスラッジ等やこれらの混合物が用いられる。
【００１３】
飛灰としては、燃焼排ガス流路で脱塵を行うサイクロンで捕捉されたサイクロン灰，サイクロンの下流の燃焼排ガス流路に配設されたセラミックチューブフィルタ（ＣＴＦ）で捕捉されたＣＴＦ灰，さらに下流の電気集塵機（ＥＰ）で捕捉されたＥＰ灰，煙突入口前のバグフィルタが配設されたバグハウス（ＢＨ）で捕捉されたＢＨ灰等が用いられる。
飛灰の混合量としては、燃料種や脱硫剤の粒度等にもよるが、脱硫剤１００重量部に対し１〜５０重量部、好ましくは５〜３０重量部が好適に用いられる。混合量が５〜３０重量部のときは、溶融灰の融液量を増加させ塊状物の発生を防止できるとともに流動層高を安定に保つことができるため好ましい。混合量が５重量部より少なくなるにつれ融液量が少なく塊状物が発生し易く流動状態を安定に保つことができなくなる傾向がみられ、３０重量部より多くなるにつれ燃焼排ガス中への飛散量が増加し流動層高の維持が困難になる傾向がみられるため好ましくない。特に、１重量部より少なくなるか５０重量部より多くなると、これらの傾向が著しくなるためいずれも好ましくない。
【００１４】
飛灰のＭｇＯの含有率としては、０．５〜１５ｗｔ％、好ましくは３〜１２ｗｔ％が好適に用いられる。ＭｇＯの含有率が３〜１２ｗｔ％のときは、飛灰の流動層ボイラへの供給により溶融灰の融液量を増加させ塊状物の発生を防止できるため好ましい。飛灰の供給量や燃料種にもよるが、含有率が３ｗｔ％より少なくなるにつれ融液量が少なく塊状物が発生し易く流動状態を安定に保つことができなくなる傾向がみられ、１２ｗｔ％より多くなるにつれ融液量が増加しスラッギングが発生し易くなる傾向がみられるため好ましくない。特に、０．５ｗｔ％より少なくなるか１５ｗｔ％より多くなると、これらの傾向が著しくなるためいずれも好ましくない。
【００１５】
燃料供給工程において、燃料混合物を流動層ボイラに供給する方法としては、石炭等の燃料と石灰石等の脱硫剤等と水とを湿式混合してペースト化した燃料スラリーをスラリー供給路から供給する方法、燃料と脱硫剤等とを乾式混合しロックホッパを介して燃料供給路から供給する方法等が用いられる。
【００１６】
本発明の請求項２に記載の発明は、請求項１に記載の流動層ボイラにおける飛灰の再利用方法であって、燃料に混合されるＭｇ化合物中のＭｇＯと前記飛灰中のＭｇＯとの総量で、混合される前記飛灰の投入量を制御する構成を有している。
この構成により、請求項１で得られる作用に加え、以下のような作用が得られる。
（１）飛灰の流動層ボイラへの投入量を、燃料に混合されるＭｇ化合物中のＭｇＯと飛灰中のＭｇＯとの総量で制御するので、燃料や脱硫剤等の種類に応じて、流動改善成分としてのＭｇＯの量を最適にすることができ、融液量を最適にして粘性を低下させ塊状物の発生を防止することができ流動層の安定性に優れる。
（２）適量のＭｇ化合物が流動層ボイラに供給されるので、Ｍｇ化合物の使用量を削減することができ流動層ボイラの運転コストを低減することができる。
（３）飛灰とＭｇ化合物の両方を用いて流動層ボイラの流動状態を改善することができるので、自由度が高く自在性に優れる。
【００１７】
ここで、Ｍｇ化合物としては、脱硫剤の表面に生成される融液の量に影響を与え脱硫剤の流動状態を改善するＭｇ（ＯＨ）２，ドロマイト，ＭｇＯ，ＭｇＣＯ３等が用いられる。Ｍｇ化合物を投入することで、飛灰による融液量の増加効果を補って溶融灰の融液量を増加させ、塊状物の発生を防止し流動層の安定性を高めることができる。
【００１８】
Ｍｇ化合物の含有量としては、燃料や脱硫剤、Ｍｇ化合物の種類や粒径等にもよるが、燃料１００重量部に対し０〜１０重量部好ましくは０〜７重量部より好ましくは０．００１〜３重量部が好適に用いられる。Ｍｇの含有量が０．００１重量部より少なくなるにつれ燃料や脱硫剤等の種類によっては溶融灰の融液量が少なく塊状化し易くなる傾向がみられ、３重量部より多くなるにつれ融液量が増加しスラッギングが発生し易くなる傾向がみられるため好ましくない。また、Ｍｇの含有量が７重量部より多くなるにつれ燃料や脱硫剤等の種類によっては融液量が過剰になりスラッギングが発生し易くなるとともに、Ｍｇ化合物に係るコストが増大し流動層ボイラの運転コストが増加する傾向がみられるため好ましくない。特に、１０重量部を超えるとこれらの傾向が著しくなるので好ましくない。
【００１９】
Ｍｇ化合物中又は飛灰中のＭｇＯの含有率は、Ｍｇ化合物や飛灰を蛍光Ｘ線分析法等の方法で定量分析することで求められるＭｇの含有量と、Ｍｇの原子量とＭｇＯの分子量との関係から求めることができる。Ｍｇ化合物の場合は、成績証明書等に記載されているＭｇＯの定量分析結果を用いることもできる。
以上のようにして求められたＭｇ化合物中又は飛灰中のＭｇＯの含有率と、流動層ボイラに供給するＭｇ化合物や飛灰を秤量して得られた重量と、によって、燃料に混合されるＭｇ化合物中のＭｇＯと飛灰中のＭｇＯとの総量を算出することができる。これにより、Ｍｇ化合物や飛灰中のＭｇＯの総量の制御は、流動層ボイラに供給するＭｇ化合物や飛灰の重量を制御すればよく、簡便で生産性に優れる。
【００２０】
【発明の実施の形態】
以下、本発明の一実施の形態を、図面を参照しながら説明する。
（実施の形態１）
図１は本実施の形態１における流動層ボイラの要部構成図である。
図中、１はコンプレッサ１０からの圧縮空気が供給される圧力容器、２は圧力容器１に内設され圧力容器１内に取り入れられた圧縮空気が底部から供給される加圧流動層ボイラ、２ａは加圧流動層ボイラ２の流動層２ｂ内に配設された伝熱管、３は加圧流動層ボイラ２の頂部に配設された燃焼排ガス流路、４は燃焼排ガス流路３の出口に配設されたサイクロン等の１次脱塵装置、４ａは１次脱塵装置４で燃焼排ガスと分離された飛灰を圧力容器１外へ排出する１次排出路、５は１次脱塵装置４で１次脱塵された１次脱塵ガス流路、６は1次脱塵ガス流路５を流れる１次脱塵ガスの脱塵を行うサイクロン等の２次脱塵装置、６ａは２次脱塵装置６で燃焼排ガスと分離された飛灰を圧力容器１外へ排出する２次排出路、７は２次脱塵装置６で脱塵された清浄ガスの清浄ガス流路、８は清浄ガスによって駆動されるガスタービン、９は発電機、１０はコンプレッサ、１０ａはコンプレッサ１０で圧縮された圧縮空気を圧力容器１に供給する圧縮空気供給路である。１１は１次排出路４ａと２次排出路６ａの各々の端部に接続された排出路、１２は排出路１１に配設され抜き出された飛灰を系外に排出する場合に作動させる三方弁等からなる分岐弁、１３は一端部が分岐弁１２に接続され分岐弁１２を通過した飛灰を燃料スラリー調整装置１５に搬送供給する飛灰搬送路、１４は飛灰搬送路１３に配設され飛灰搬送路１３を搬送される飛灰の流量を調整する流量調整弁、１４ａは飛灰が脱硫剤と所定の配合割合になるように秤量するストッカーを備えた秤量部、１５は石炭等の燃料と石灰石等の脱硫剤と飛灰等が含有された燃料混合物と水等とが混合されてペースト化された燃料スラリーを調整及び貯留する燃料スラリー調整装置、１６は燃料スラリー調整装置１５に接続され加圧流動層ボイラ２に燃料スラリーを輸送するスラリーポンプ、１７は一端がスラリーポンプ１６に接続され他端が燃料スラリーを加圧流動層ボイラ２内に噴射するスラリー噴射ノズル（図示しない）に接続されたスラリー供給路である。なお、飛灰搬送路１３では、気流搬送，バケットエレベータ，ベルトコンベア等の搬送手段によって飛灰が秤量部１４ａのストッカーに搬送される。また、１次排出路４ａ，２次排出路６ａ等のように圧力容器１を貫通して常圧系と加圧系が切り替わる箇所には、圧力調整のためのロックホッパシステム（図示しない）が配設されている。
なお、本実施の形態においては、燃料スラリーに混合されて加圧流動層ボイラ２に供給される飛灰の投入量は、燃料に混合される水酸化マグネシウム（Ｍｇ化合物）中のＭｇＯと飛灰中のＭｇＯとの総量で制御されている。また、水酸化マグネシウム（Ｍｇ化合物）は、燃料や脱硫剤の種類や粒径等に応じて、燃料１００重量部に対し、０〜１０重量部好ましくは０〜７重量部より好ましくは０．００１〜３重量部の範囲で添加混合されている。
【００２１】
以上のように構成された本実施の形態１の流動層ボイラについて、以下その飛灰の再利用方法を説明する。
石炭等の燃料と石灰石やドロマイト等の脱硫剤と水酸化マグネシウム等の流動改善剤としてのＭｇ化合物とを含有する燃料混合物と水とを燃料スラリー調整装置１５でペースト化し燃料スラリーを調整し、燃料スラリー調整装置１５に貯留しておく。圧力容器１内に内設した加圧流動層ボイラ２では燃料スラリーをスラリー供給路１７から入れ、圧力容器１内に取り入れた圧縮空気を加圧流動層ボイラ２の底部から供給し、脱硫剤等を流動状態にして燃料を０．６〜３．１ＭＰａの圧力で８００〜９５０℃の温度で燃焼させている。燃料の燃焼で発生した熱は伝熱管２ａで熱交換され蒸気タービン発電機（図示せず）を駆動して発電を行う。流動層２ｂで発生した燃焼排ガスは燃焼排ガス流路３から１次脱塵装置４、２次脱塵装置６を経て脱塵された後、清浄ガス流路７を通過してガスタービン８、発電機９を駆動し発電する。
１次脱塵装置４，２次脱塵装置６で燃焼排ガスと分離された飛灰は、１次排出路４ａ及び２次排出路６ａ，排出路１１，分岐弁１２を経て飛灰搬送路１３へ搬送される。飛灰搬送路１３への飛灰の搬送量が増加したときは、分岐弁１２を作動させて飛灰を系外へ排出する。飛灰搬送炉１３を搬送される飛灰の流量は流量調整弁１４で調整されるとともに脱硫剤１００重量部に対し１〜５０重量部の所定量が秤量部１４ａで秤量されて、燃料スラリー調整装置１５で燃料等と混合されて燃料スラリーに調整される。燃料スラリーに混合された飛灰は、スラリー供給路１７から燃料とともに加圧流動層ボイラ２に供給される。
【００２２】
以上のように、実施の形態１における流動層ボイラは構成されているので、以下のような作用が得られる。
（１）飛灰は燃料と混合されて流動層ボイラに供給されるので、飛灰が含有する流動改善成分としてのＭｇＯが、生成された溶融灰の融液量を直ちに効率良く増加させて粘性を低下させ、塊状物の発生を防止することができ流動層の安定性に優れる。
（２）脱硫剤に対する飛灰の混合量が特定されているので、溶融灰の融液量を増加させ脱硫剤同士の付着を防止することができるとともに流動層高を維持でき、流動層の安定性に優れる。
（３）飛灰が流動改善成分としてのＭｇＯを含有しているので、飛灰を燃料等に混合して供給することで流動改善剤の使用量を削減することができる。
（４）飛灰の流動層ボイラへの投入量を、燃料に混合されるＭｇ化合物中のＭｇＯと飛灰中のＭｇＯとの総量で制御するので、燃料や脱硫剤等の種類に応じて、流動改善成分としてのＭｇＯの量を最適にすることができ、融液量を最適にして粘性を低下させ塊状物の発生を防止することができ流動層の安定性に優れる。
（５）適量のＭｇ化合物が流動層ボイラに供給されているので、Ｍｇ化合物の使用量を削減することができ流動層ボイラの運転コストを低減することができる。
（６）飛灰とＭｇ化合物の両方を用いて流動層ボイラの流動状態を改善することができるので、自由度が高く自在性に優れる。
（７）燃料や脱硫剤の種類等に応じて所定量添加混合された水酸化マグネシウム（Ｍｇ化合物）が、飛灰による融液量の増加効果を補って溶融灰の融液量を増加させ、塊状物の発生を防止し流動層の安定性を高めることができる。
【００２３】
なお、本実施の形態においては、飛灰として、サイクロンで燃焼排ガスと分離されたサイクロン灰の場合について説明したが、サイクロンの下流の燃焼排ガス流路に配設されたセラミックチューブフィルタ（ＣＴＦ）で捕捉されたＣＴＦ灰，さらに下流の電気集塵機（ＥＰ）で捕捉されたＥＰ灰，煙突入口前のバグフィルタが配設されたバグハウス（ＢＨ）で捕捉されたＢＨ灰等を用いることもできる。
また、水酸化マグネシウム等の流動改善剤としてのＭｇ化合物を添加混合する場合について説明したが、燃料や脱硫剤の種類によっては、添加しなくてもよい。
さらに、流動層ボイラに配設されたサイクロンで分離された飛灰を、飛灰搬送路を用いて同一の流動層ボイラに再供給する場合について説明したが、飛灰を一旦回収した後、別の流動層ボイラに供給することもできる。
【００２４】
（実施の形態２）
図２は実施の形態２における流動層ボイラの要部構成図である。なお、実施の形態１で説明したものと同様のものは、同じ符号を付して説明は省略する。
図中、１８は石炭等の燃料と石灰石等の脱硫剤と飛灰搬送路１３を搬送された飛灰とを混合する燃料供給ホッパ、１９は燃料供給ホッパ１８の下流に接続され加圧流動層ボイラ２と略同じ圧力である０．６〜３．１ＭＰａ程度の圧力で燃料供給ホッパ１８で混合された燃料等を貯蔵するロックホッパ、１９はロックホッパ１９の下流と加圧流動層ボイラ２内に配設されたスプレーノズル（図示しない）とに接続されロックホッパ１９内に貯蔵された燃料等を空気流によって搬送して流動層２ｂへ供給する燃料供給路である。なお、燃料供給ホッパ１８からロックホッパ１９に燃料等を供給するときには、燃料供給ホッパ１８の圧力をロックホッパ１９と略同一の圧力に加圧した後に行われる。
実施の形態２の流動層ボイラが実施の形態１と異なる点は、燃料スラリー調整装置の代わりに燃料供給ホッパ１８とロックホッパ１９とを備えていて、燃料混合物が乾式方式で供給される点である。
【００２５】
以上のように実施の形態２の流動層ボイラは構成されているので、実施の形態１に記載の作用に加え、以下のような作用が得られる。
（１）燃料混合物をスラリー化せずに加圧流動層ボイラ内に供給することができ、スラリーに含有される水が蒸発するときの気化熱の損失がなく熱効率に優れる。
【００２６】
なお、実施の形態１及び２においては、加圧系で用いられる加圧流動層ボイラの場合について説明したが、常圧系で用いられる流動層ボイラの場合でも同様に用いることができる。
【００２７】
【実施例】
次に、本発明を実施例を用いて詳細に説明する。
（実施例）
０．６〜３．１ＭＰａ、８００〜９５０℃で燃焼運転させる３５０ＭＷ加圧流動層複合発電システムの加圧流動層ボイラにおいて、燃料としてブレアゾール炭（粒子径６ｍｍ以下）（供給量１３０ｔｏｎ／ｈ）と、脱硫剤として津久見産の石灰石（粒子径５ｍｍ以下）（供給量１０ｔｏｎ／ｈ）と、流動改善剤として水酸化マグネシウム懸濁液（３５ｗｔ％Ｍｇ（ＯＨ）２を懸濁させた懸濁液として供給）と、水と、を混合してスラリー状にしたものを流動層ボイラに供給して運転した。ブレアゾール炭と石灰石との配合比は、Ｃａ／Ｓモル比が５になるように調整した。また、水酸化マグネシウム懸濁液（３５ｗｔ％Ｍｇ（ＯＨ）２懸濁液）の供給量は、０ｔｏｎ／ｈ，２．２ｔｏｎ／ｈ，４．２ｔｏｎ／ｈの３通りとした。
水酸化マグネシウム懸濁液の３通りの供給量の場合、１次脱塵装置及び２次脱塵装置で燃焼排ガスから分離された飛灰の発生量は、いずれも２０ｔｏｎ／ｈであった。各々の飛灰について、蛍光Ｘ線分析装置を用いて定量分析を行った。その結果を（表１）に示す。なお、（表１）に記載のＮ．Ｄは、定量下限値未満であったことを示す。
【００２８】
【表１】
0004105864.tif 000002
【００２９】
水酸化マグネシウム懸濁液の供給量が０ｔｏｎ／ｈ，２．２ｔｏｎ／ｈ，４．２ｔｏｎ／ｈのとき、懸濁液中の水酸化マグネシウムの供給量は、各々０ｔｏｎ／ｈ，０．７７ｔｏｎ／ｈ，１．４７ｔｏｎ／ｈである。
（表１）から、水酸化マグネシウムの供給量が０ｔｏｎ／ｈのときでも１．０７ｗｔ％のＭｇＯが検出された。これは、燃料のブレアゾール炭に由来するものであると推察された。従って、供給された水酸化マグネシウムに由来するものはこれを除いたもので、水酸化マグネシウムの供給量が０．７７ｔｏｎ／ｈのときは（４．８６−１．０７）ｗｔ％＝３．７９ｗｔ％であり、発生した飛灰中の水酸化マグネシウムの量は２０ｔｏｎ／ｈ×３．７９ｗｔ％＝０．７５８ｔｏｎ／ｈであった。また、水酸化マグネシウムの供給量が１．４７ｔｏｎ／ｈのときは（８．７７−１．０７）ｗｔ％＝７．７ｗｔ％であり、発生した飛灰中の水酸化マグネシウムの量は２０ｔｏｎ／ｈ×７．７ｗｔ％＝１．５４ｔｏｎ／ｈであった。以上のことから、流動層ボイラに流動改善剤として供給された水酸化マグネシウムのほぼ全量が、サイクロンに捕捉された飛灰に含有されていることが明らかになった。
【００３０】
次に、流動改善剤としての水酸化マグネシウム懸濁液の供給を停止した後、燃料としてブレアゾール炭（粒子径６ｍｍ以下）（供給量１３０ｔｏｎ／ｈ）と、脱硫剤として津久見産の石灰石（粒子径５ｍｍ以下）（供給量１０ｔｏｎ／ｈ）と、に加え、上述の３通りの飛灰（供給量０．１〜５ｔｏｎ／ｈ）を混合し、水を加えて混合しスラリー状にしたものを流動層ボイラに供給して運転した。
その結果、いずれの場合も塊状物の発生がなく、良好な流動層ボイラの運転状態が得られた。
【００３１】
以上の実施例で明らかなように、流動層ボイラに流動改善剤として供給された水酸化マグネシウムのほぼ全量がサイクロンに捕捉された飛灰に含有されているので、飛灰を燃料や脱硫剤とともに流動層ボイラ内に供給することによって、塊状物の発生を防止することができ良好な流動層ボイラの運転状態が得られる。また、飛灰が流動改善成分としてのＭｇＯを含有しているので、飛灰を燃料等に混合して供給することで流動改善剤としてのＭｇ化合物の使用量を削減することができる。
【００３２】
なお、本実施例では石灰石や燃料等をペースト状にして加圧流動層ボイラに供給する湿式方式について説明したが、石灰石や燃料等を乾式供給する場合についても同様の効果が得られる。さらに、乾式供給する場合には、ペースト状にして供給された燃料等から水が蒸発するときの気化熱の損失がなく熱効率を向上させることができる。
【００３３】
【発明の効果】
以上のように、本発明の流動層ボイラにおける飛灰の再利用方法によれば、以下のような有利な効果が得られる。
請求項１に記載の発明によれば、
（１）飛灰は燃料と混合されて流動層ボイラに供給されるので、飛灰が含有する流動改善成分としてのＭｇＯが、生成された溶融灰の融液量を直ちに効率良く増加させて粘性を低下させ、塊状物の発生を防止することができ流動層の安定性に優れた流動層ボイラにおける飛灰の再利用方法を提供することができる。
（２）脱硫剤に対するＭｇＯを含有する飛灰の混合量が特定されているので、溶融灰の融液量を増加させ脱硫剤同士の付着を防止することができるとともに流動層高を維持でき、流動層の安定性に優れた流動層ボイラにおける飛灰の再利用方法を提供することができる。
（３）飛灰が流動改善成分としてのＭｇＯを含有しているので、飛灰を燃料等に混合して供給することで流動改善剤としてのＭｇ化合物の使用量を削減することができる流動層ボイラにおける飛灰の再利用方法を提供することができる。
（４）飛灰が、融液量を増加させる働きを有するＭｇＯを０．５〜１５ｗｔ％含有しているので、流動層ボイラに供給したときに、燃焼灰が溶融した溶融灰の融液量を増加させ塊状物の発生を防止することができ流動層の安定性に優れた流動層ボイラにおける飛灰の再利用方法を提供することができる。
【００３４】
請求項２に記載の発明によれば、請求項１の効果に加え、
（１）飛灰の流動層ボイラへの投入量を、燃料に混合されるＭｇ化合物中のＭｇＯと飛灰中のＭｇＯとの総量で制御するので、燃料や脱硫剤等の種類に応じて、流動改善成分としてのＭｇＯの量を最適にすることができ、融液量を最適にして粘性を低下させ塊状物の発生を防止することができ流動層の安定性に優れた流動層ボイラにおける飛灰の再利用方法を提供することができる。
（２）適量のＭｇ化合物が流動層ボイラに供給されるので、Ｍｇ化合物の使用量を削減することができ流動層ボイラの運転コストを低減することができる流動層ボイラにおける飛灰の再利用方法を提供することができる。
（３）飛灰とＭｇ化合物の両方を用いて流動層ボイラの流動状態を改善することができるので、自由度が高く自在性に優れた流動層ボイラにおける飛灰の再利用方法を提供することができる。
【図面の簡単な説明】
【図１】  実施の形態１における流動層ボイラの要部構成図
【図２】  実施の形態２における流動層ボイラの要部構成図
【符号の説明】
１  圧力容器
２  加圧流動層ボイラ
２ａ  伝熱管
２ｂ  流動層
３  燃焼排ガス流路
４  １次脱塵装置
５  １次脱塵ガス流路
６  ２次脱塵装置
７  清浄ガス流路
８  ガスタービン
９  発電機
１０  コンプレッサ
１０ａ  圧縮空気供給路
１１  排出路
１２  分岐弁
１３  飛灰搬送路
１４  流量調整弁
１４ａ  秤量部
１５  燃料スラリー調整装置
１６  スラリーポンプ
１７  スラリー供給路
１８  燃料供給ホッパ
１９  ロックホッパ
２０  燃料供給路
【図１】
0004105864.tif 000003
【図２】
0004105864.tif 000004